(57)【要約】      （修正有）【課題】スイッチを押したときにキャラクターの音声が流れるアルバムを提供する。【解決手段】表紙１０と、表紙の裏側に配置された見返しと、を有するアルバム１であって、キャラクター１１の音声を再生するスピーカ４１と、スピーカに接続された回路基板４２と、回路基板に接続されていて音声の再生を開始するためのスイッチ４３と、を有するモジュール４０を備え、モジュールが表紙及び見返しの間に設けられており、表紙には、キャラクターと、スイッチの位置を示す目印１２とが描かれている。【選択図】図４
0003205841.tif 000002
【実用新案登録請求の範囲】
【請求項１】
表紙と、前記表紙の裏側に配置された見返しと、を有するアルバムであって、
キャラクターの音声を再生するスピーカと、前記スピーカに接続された回路基板と、前記回路基板に接続されていて前記音声の再生を開始するためのスイッチと、を有するモジュールを備え、前記モジュールが前記表紙及び前記見返しの間に設けられており、
前記表紙には、前記キャラクターと、前記スイッチの位置を示す目印とが描かれていることを特徴とするアルバム。
【請求項２】
前記スピーカが、前記表紙に描かれたキャラクターに対応する位置に配置されている、請求項１に記載のアルバム。
【請求項３】
前記回路基板が、前記キャラクターの音声を複数記憶する記憶部、及び記憶された前記キャラクターの音声をランダムに再生する制御部と、を更に有する、請求項１に記載のアルバム。
【考案の詳細な説明】
【技術分野】
【０００１】
本考案は、キャラクターの音声が流れるアルバムに関する。
【背景技術】
【０００２】
従来、アルバムの開閉に伴って予め記録された産声を出力することができるアルバムが、例えば特許文献１に開示されている。
【先行技術文献】
【特許文献】
【０００３】
【特許文献１】実用新案登録第３０５９３０４号公報
【考案の概要】
【考案が解決しようとする課題】
【０００４】
しかしながら、スイッチを押したときにキャラクターの音声が流れるアルバムは見当たらなかった。
【課題を解決するための手段】
【０００５】
本考案の第１の態様は、表紙と、表紙の裏側に配置された見返しと、を有するアルバムであって、キャラクターの音声を再生するスピーカと、スピーカに接続された回路基板と、回路基板に接続されていて音声の再生を開始するためのスイッチと、を有するモジュールを備え、モジュールが表紙及び見返しの間に設けられており、表紙には、キャラクターと、スイッチの位置を示す目印とが描かれている、アルバムを提供する。
本考案の第２の態様は、第１の態様において、スピーカが、表紙に描かれたキャラクターに対応する位置に配置されている、アルバムを提供する。
本考案の第３の態様は、第１の態様において、回路基板が、キャラクターの音声を複数記憶する記憶部、及び記憶されたキャラクターの音声をスピーカにランダムに再生させる制御部と、を更に有する、アルバムを提供する。
【考案の効果】
【０００６】
本考案に係るアルバムによれば、スイッチを押したときにキャラクターの音声が流れるアルバムを提供できる。
【図面の簡単な説明】
【０００７】
【図１】本考案の一実施形態におけるアルバムの使用状態を示す斜視図である。
【図２】本考案の一実施形態におけるアルバムの平面図であり、アルバムを開いた状態を示す図である。
【図３】本考案の一実施形態におけるアルバムに取付けられるモジュールの平面図である。
【図４】本考案の一実施形態におけるアルバムの斜視図であり、モジュールの位置を示す図である。
【図５】本考案の一実施形態におけるアルバムの図１及び図４のＶ−Ｖ線に沿った断面図である。
【考案を実施するための形態】
【０００８】
以下、添付図面を参照して、本考案の実施形態を詳細に説明する。各図面において、同様の構成要素には同様の符号が付与されている。なお、以下に記載される内容は、実用新案登録請求の範囲に記載される考案の技術的範囲及び用語の意義を限定するものではない。
【０００９】
図１は、本実施形態におけるアルバムの使用状態を示す斜視図であり、図２は、本実施形態におけるアルバムの平面図であり、アルバムを開いた状態を示す図である。図１及び図２に示すように、アルバム１は、表紙１０と、見返し２０と、ポケット３０と、を有する。
【００１０】
図１に示すように、表紙１０は、紙及び布等で形成されていて、表紙１０には、キャラクター１１と、スイッチの位置を示す目印１２とが描かれている。見返し２０は、紙及び布等で形成されていて、表紙１０の裏側にのり等の接着剤で貼り付けられている。
【００１１】
図２に示すように、ポケット３０は、複数枚の台紙３１と、ポリプロピレン等からなる複数枚のフィルム３２と、から形成される。台紙３１は、見返し２０の中央に糸３３等で縫付けられており、フィルム３２は、台紙３１の両端に被せられている。台紙３１には、８カ所の穴部３４が設けられていて、フィルム３２が熱等により融着されている。そうして、台紙３１とフィルム３２との間に写真が入るようにポケット３０が形成される。
【００１２】
図３は、本実施形態におけるアルバム１に取付けられるモジュール４０の平面図である。モジュール４０の回路基板４２は、薄いフレキシブルプリント基板で形成されていて、容易にアルバム１に埋込むことができる。回路基板４２は、ボタン電池４４を更に有する。
【００１３】
図４は、本実施形態におけるアルバムの斜視図であり、モジュール４０の位置を示す図である。モジュール４０は、スピーカ４１と、スピーカに接続された回路基板４２と、回路基板４２に接続されたスイッチ４３と、を有する。回路基板４２は、図示しないものの、マイクロコンピュータを有しており、マイクロコンピュータは、キャラクターの音声を複数記憶する記憶部と、記憶したキャラクターの音声をスピーカ４１にランダムに再生させる制御部と、を有する。スピーカ４１は、キャラクターの音声を再生するため、表紙１０に描かれたキャラクター１１の頭部に対応する位置に配置される。スイッチ４３は、表紙１０に描かれたスイッチの位置を示す目印１２に対応する位置に配置される。
【００１４】
図５は、本実施形態におけるアルバムの図４のＶ−Ｖ線に沿った断面図である。図５に示すように、モジュール４０は、表紙１０及び見返し２０の間に配置されている。また、さらに表紙１０及び見返し２０の間には、紙等からなる芯材５０と、モジュール４０を保護するための中綿６０と、が配置されている。
【００１５】
図４を参照して、モジュール４０が音声を再生する手順について説明する。アルバム１に描かれたスイッチの位置を示す目印１２を押すと、アルバム１の内部に設けられたスイッチ４３が押圧されて回路基板４２が作動する。回路基板４２は、例えば記憶部に記憶されたキャラクターの音声「見てみて。」をスピーカ４１に再生させる。
【００１６】
ここで、本考案の作用効果について説明する。本考案に係るアルバムによれば、スイッチを押したときにキャラクターの音声がランダムに流れるアルバムを提供できる。スピーカ４１は、表紙１０に描かれたキャラクター１１の頭部に対応する位置に配置されているため、あたかもキャラクター１１が喋っているかのように見えるアルバムを提供できる。
【００１７】
本明細書において種々の実施形態について説明したが、本考案は、前述した種々の実施形態に限定されるものではなく、以下の実用新案登録請求の範囲に記載された範囲内において種々の変更を行えることを認識されたい。
【符号の説明】
【００１８】
１    アルバム
１０    表紙
１１    キャラクター
１２    スイッチの位置を示す目印
２０    見返し
４０    モジュール
４１    スピーカ
４２    回路基板
４３    スイッチ
【図１】
0003205841.tif 000003
【図２】
0003205841.tif 000004
【図３】
0003205841.tif 000005
【図４】
0003205841.tif 000006
【図５】
0003205841.tif 000007